(57)【要約】  【課題】カラオケの利用時、現に背景映像が出力されている最中、利用者が所持するブラウザ機能を有した利用者携帯端末に対し、その背景映像の関連情報が掲載された所定のモバイルＷｅｂサイトに容易かつ正確にアクセスでき、リアルタイムでさらに詳細な背景映像の関連情報を個々のカラオケ利用者に効率的に与えることができるシステムの提供。  【解決手段】カラオケ演奏装置を主体とし、このカラオケ演奏装置にてカラオケ楽曲の演奏時に出力される背景映像に、その関連情報が掲載されたモバイルＷｅｂサイトのサイトアドレスを電子透かし形態で埋め込んでなるシステムを構築した。【選択図】図２
2006071717.tif 000002
【特許請求の範囲】
【請求項１】
カラオケ演奏装置を主体とし、任意の電子透かし読み取り機能およびブラウザ機能付き利用者携帯端末に対し、カラオケ楽曲の演奏時に出力される背景映像について、その関連情報を提供するためのシステムであって、
所定の前記背景映像に、当該背景映像の関連情報が掲載されたモバイルＷｅｂサイトのサイトアドレスが電子透かし形態で埋め込まれていることを特徴とするカラオケ背景映像関連情報提供システム。
【発明の詳細な説明】
【技術分野】
【０００１】
本発明は、カラオケ楽曲の演奏時に出力される背景映像について、その関連情報が掲載された所定のモバイルＷｅｂサイトのサイトアドレスを、電子透かし読み取り機能およびブラウザ機能付き利用者携帯端末に提供するためのシステムに関する。
【背景技術】
【０００２】
カラオケ利用者の中には、好みのカラオケ楽曲に関連する情報に興味を持つ者も少なくない。例えば、カラオケ楽曲を作詞・作曲したアーティストの作品販売やコンサートスケジュールなどといった情報や、アーティストが身に付けている衣装や装飾品に関する情報や、曲の舞台となった地域や場所の情報や、あるいは、ＣＭソングとして採用された当該ＣＭ商品やサービスの情報などである。そして、所定のカラオケ楽曲に付帯して、カラオケの演奏時に出力される背景映像には、アーティストの本人映像、曲風に合った風景・環境映像あるいはアイテム映像などが含まれており、これらのカラオケ楽曲に対応した背景映像は、利用者の興味を想起させる好適な手段となっている。
【０００３】
従来では、背景映像の出力の最中、カラオケ利用者に対して種々の情報を提供する技術が想到されている。例えば、特許文献１では、映像切替手段が、演奏曲の演奏中に歌詞映像が表示されていないと判断される場合、別の情報映像に切替えて表示させることで、歌詞映像や背景映像の表示を極力邪魔することなく、種々の広告やインフォメーションなどを表示できる楽音発生装置が開示されている。ただし、この方法であると、歌詞は読めるため歌唱には悪影響がないものの、背景映像が一時的にせよ中断されるので、表示が「うるさく」なり、歌唱の雰囲気を壊してしまう。さらに、情報の表示時間が限られているため、詳細に情報を伝えることはできない。
【０００４】
ところで、このような状況下、詳細な情報を効率的に伝えるための手段が必要とされるが、最近では、ＨＴＴＰ（Hyper Text Transfer Protocol）を利用したＷＷＷ（World Wide Web）サーバが提供する所定のＷｅｂサイトを利用する技術が普及しており、このような技術を組み入れた技術も多々想到されている。例えば、特許文献２では、所定の音楽関連情報を掲載するＷｅｂサイトのサイトアドレス、通称「ＵＲＬ」（Uniform Resource Locator）を与え、これに基づき、当該Ｗｅｂサイトにアクセスできるカラオケ演奏装置付帯のブラウザ装置に関する技術が開示され、これにより、利用者が所望するカラオケ楽曲の関連情報などを効率良く得ることができる。
【０００５】
しかしながら、従来では、これをカラオケシステムに適応し、背景映像の関連情報を得るために、その関連情報を掲載した所定のＷｅｂサイトを利用するにしても、個々の利用者が容易かつ正確にアクセスするための手法が開示されていない。そこで、利用者がそれぞれ所持する利用者携帯端末を利用する手法が考えられる。最近では、ＷＷＷサーバが提供する所定のモバイルＷｅｂサイトにアクセス可能なブラウザ（Browser）機能を有した携帯電話やＰＤＡ（Personal
Digital Assistant）といった利用者携帯端末の普及と性能向上により、このような個人用モバイル情報ツールを利用して、個々の利用者が何時何処でも簡単に情報を得ることができるようになった。
【０００６】
しかも、特許文献３では、カメラ付き携帯端末装置のように、それほど高性能の撮像手段を用いなくても画像に埋め込まれた情報（電子透かし）を精度よく検出できるように、撮像の歪みを補正し、この補正画像データからＵＲＬを検出し、検出したＵＲＬを表す情報を画像サーバに送信し、これをカメラ付き携帯電話に送信する技術が開示されている。なお、この技術では印刷物を対象としているが、勿論、現在では、動画像に埋め込まれた電子透かしを利用者携帯端末にて読み取ることもできるようになっている。
【特許文献１】特開平１０−１６１６８０号公報
【特許文献２】特開２００２−２８７７７８号公報
【特許文献３】特開２００３−３４８３２７号公報
【発明の開示】
【発明が解決しようとする課題】
【０００７】
このような、利用者の興味を想起させる背景映像から、その詳細な関連情報の必要性と個人用モバイル情報ツールの現状を踏まえ、本発明は、カラオケの利用時、現に背景映像が出力されている最中、利用者が所持するブラウザ機能を有した利用者携帯端末に対し、その背景映像の関連情報が掲載された所定のモバイルＷｅｂサイトに容易かつ正確にアクセスでき、リアルタイムでさらに詳細な背景映像の関連情報を個々のカラオケ利用者に効率的に与えることができるシステムの提供を課題とする。
【課題を解決するための手段】
【０００８】
上記課題を鑑み、本発明者は、カラオケ演奏装置を主体とし、このカラオケ演奏装置にてカラオケ楽曲の演奏時に出力される背景映像に、その関連情報が掲載されたモバイルＷｅｂサイトのサイトアドレスを電子透かし形態で埋め込んでなるシステムを構築することで、上記課題を解決できることを見出し、本発明のカラオケ背景映像関連情報提供システムを想到した。
【０００９】
すなわち、本発明のカラオケ背景映像関連情報提供システムは、カラオケ演奏装置を主体とし、任意の電子透かし読み取り機能およびブラウザ機能付き利用者携帯端末に対し、カラオケ楽曲の演奏時に出力される背景映像について、その関連情報を提供するためのシステムであって、
所定の前記背景映像に、当該背景映像の関連情報が掲載されたモバイルＷｅｂサイトのサイトアドレスが電子透かし形態で埋め込まれていることを特徴とする。
【発明の効果】
【００１０】
本発明のカラオケ背景映像関連情報提供システムによれば、背景映像が出力されている最中に、現に出力されている背景映像の関連情報が掲載された所定のモバイルＷｅｂサイトのサイトアドレスが電子透か形態で埋め込まれているため、関連情報が掲載された所定のモバイルＷｅｂサイトに容易かつ正確にアクセスでき、リアルタイムでさらに詳細な背景映像の関連情報を利用者に効率的に与えることができるといった効果を奏する。
【発明を実施するための最良の形態】
【００１１】
以下、本発明のカラオケ背景映像関連情報提供システムについて、先ず、図１に示す、本発明のカラオケ背景映像関連情報提供システムの概略的構成図に基づき、本システムの構成について説明する。
【実施例１】
【００１２】
図１は、本発明のカラオケ背景映像関連情報提供システムの構成例を示し、本実施例のカラオケ背景映像関連情報提供システム（１）は、カラオケボックスの店舗内に設置された複数のカラオケルーム（Ｒ，Ｒ…）のそれぞれに備えられたカラオケ演奏装置（２，２…）を主体としており、当該演奏装置（２）にて出力される背景映像について、所定のＷＷＷサーバ（５）に蓄積された、その関連情報が掲載された所定のモバイルＷｅｂサイトのサイトアドレスを、カラオケ利用者が所持している電子透かし読み取り機能およびブラウザ機能付き利用者携帯端末（４）に提供するものである。
【００１３】
ここで、本実施例におけるカラオケ演奏装置（２）について少々説明する。カラオケ演奏装置（２）には大容量のハードディスク装置（図示省略）が備えられ、これには多数のカラオケ楽曲のＭＩＤＩデータを主体とした伴奏音楽データや、歌詞画像の生成起源となる歌詞抽出データ、所定形式の長時間分の動画データや、動画データの処理シーケンス（処理すべき背景動画データの格納場所と処理順番）を規定した台本データや演奏可能なカラオケ楽曲についての曲名やアーティスト名、発表年、歌詞の歌い出し部分などのカラオケ楽曲データに加え、カラオケ楽曲の演奏時に出力される背景映像についての各種データも格納されている。そして、各種機能手段を制御して演奏装置全体を統括管理している中央制御部（図示省略）が備えられ、この中央制御部は、各楽曲のカラオケ楽曲データや背景映像データを、それぞれ楽曲コードと背景映像ＩＤによって識別し、これらを管理している。
【００１４】
各カラオケ演奏装置（２，２…）は店舗内ＬＡＮ（Ｌ）に接続され、店舗内の情報処理システムに組み込まれており、ＬＡＮ（Ｌ）上の１台のコンピュータとして認識される。この情報処理システムは、店舗における会計や各カラオケルーム（Ｒ，Ｒ…）への入退室管理などの業務を行う管理コンピュータ（図示省略）などにより構成されていると共に、ＡＤＳＬやＩＳＤＮといった通信回線（Ｃ）介してインターネット（Ｎｉ）にも接続されており、カラオケ事業者が管理するＶＰＮ（Virtual Private Network）を用いて、通信カラオケシステム用のカラオケホスト装置（３）に接続している。
【００１５】
なお、カラオケホスト装置（３）はカラオケ事業者専用コンピュータであり、各カラオケ演奏装置（２，２…）に対してカラオケ楽曲データや背景映像データを適時に配信したり、あるいは、各カラオケ演奏装置（２，２…）にて随時収拾される稼働ログなどを集信したりする。そして、各カラオケ演奏装置（２，２…）の中央制御部は、ネットワークインタフェイスを介して店舗ＬＡＮ（Ｌ）およびＶＰＮに接続し、このカラオケホスト装置（３）と通信することで、当該ホスト装置（３）と各種データの授受を行う。各カラオケ演奏装置（２，２…）の通信制御部はＤＭＡ（Direct Memory Access）回路を内蔵しており、ダウンロードされた楽曲データや背景映像データを直接ハードディスクに書き込むことができ、このハードディスクには楽曲データを記憶した楽曲データファイルおよび背景映像データを記憶した背景映像データファイルが設定されている。
【００１６】
具体的には、本実施例では、店舗内に１００ＢＡＳＥ−Ｔ規格のEthernet（登録商標）によるＬＡＮ（Ｌ）が敷設されており、このＬＡＮ（Ｌ）上の各カラオケ演奏装置（２，２…）はルータ（６）を介してインターネット（Ｎｉ）上のＶＰＮに接続されている。また、ＬＡＮ（Ｌ）上のコンピュータ間の通信にもＴＣＰ／ＩＰが採用されており、ルータ（６）は、その内蔵するＤＨＣＰ（Dynamic Host Configuration Protocol）サーバ機能によって、ＬＡＮ（Ｌ）に接続されている各カラオケ演奏装置（２，２…）にＩＰアドレスを割り当て、各カラオケ演奏装置（２，２…）のＭＡＣ（Media Access Control）アドレスとＩＰアドレスとを対応付けしたテーブルを作成して記憶している。
【００１７】
本実施例の利用者携帯端末（４）は、電子透かし読み取り機能およびブラウザ機能付き携帯電話であって、携帯電話網（Personal Digital Cellular：ＰＤＣ）およびパケット携帯電話網（Personal Digital Cellular−Packet：ＰＤＣ−Ｐ）に接続可能とされ、このパケット携帯電話網（ＰＤＣ−Ｐ）は所定のゲートウェイシステム（図示省略）を介してインターネット（Ｎｉ）と接続しており、このパケット携帯電話網（ＰＤＣ−Ｐ）を経由して、ＷＷＷサーバ（５）などの任意のモバイルＷｅｂサイトにアクセスできる。そして、この利用者携帯端末（４）は、前述した特許文献３にも記載されているように、撮影レンズ、シャッタ、撮像デバイスなどからなる電子透かしを読み取り可能な撮像手段を備え、この撮像手段によって撮像された電子透かしはデコード処理され、関連情報が掲載されたモバイルＷｅｂサイトのサイトアドレス情報が解析される。なお、本発明はこれに限定されず、例えば、利用者携帯端末は読み取った電子透かしを所定のＷＷＷサーバに転送し、そのＷＷＷサーバにてデコード処理して、解析したサイトアドレス情報を当該利用者携帯端末に返送させるように構成しても構わない。
【００１８】
以下、図２に示す、背景映像の出力機構の概略的構成図と、図３に示す、関連情報サイトアドレス管理テーブルの構成図と、図４に示す、関連情報サイトアドレスの表示画面に基づき、本システムについてさらに詳述する。
【００１９】
図２は、背景映像の出力機構についての構成図である。カラオケ演奏装置内のハードディスク（１０）には、背景映像データを集積した背景映像データベース（１０ａ）が設けられており、その出力方法としては、所定の背景映像の区分毎に、映像区分識別子を付与してこれを管理しており、カラオケ楽曲毎に再生すべき区分映像を当該映像区分識別子の順列でもって記述した台本データを用いている。この台本データを参照したカラオケ演奏装置は、これに基づき、ハードディスク（１０）から台本通りの映像区分識別子を認識して、対応する区分映像を繋ぎ合わせて再生するが、所定のカラオケ楽曲一曲分を一つの区分映像で構成する場合には、このような繋ぎ合わせをせずに再生する。この台本データは所定のカラオケ楽曲の演奏中で使用される区分映像を映像区分識別子の順列でもって指定したものであり、本実施例における台本データは、予めその映像イメージやストーリ性、適合しやすい音楽ジャンルやアーティスト属性などに応じて多種作成されるものである。
【００２０】
映像データベース制御部（１１）は、カラオケ演奏装置本体の中央制御部（図示省略）とバスを介してデータ通信を行い、背景映像データベース（１０ａ）の各構成部を制御する。各背景映像データには背景映像ＩＤが付与されており、その映像データは、ＭＰＥＧ（Moving Picture Experts Group）形式で構成され、区分されて映像区分識別子を絡めて記録されている。この区分映像データはＭＰＥＧデコーダ（１２）へ向けて出力する。ＭＰＥＧ２デコーダ（１２）は入力した区分映像をリアルタイムで伸長・復号して、その再生映像信号を映像制御部（１３）へ与えて再生出力する。
【００２１】
この区分映像データに関連情報が掲載されたモバイルＷｅｂサイトがある場合、後述する「背景映像ＩＤ」に紐付けされたサイトアドレス情報が、本実施例では、電子透かしデータ形態にて、表示画面に複数重畳してエンコードされている。また、このサイトアドレス情報は、区間映像データ毎、各データの内容により、異なる場合もあれば同じ場合もある。勿論、カラオケ楽曲一曲分を一つの区分映像で構成する場合には、サイトアドレス情報は、背景映像の全編に亘って同じとなる。なお、本実施例の電子透かしのエンコード方式は、デジタル化時のＬＳＢ（Least Significant Bit）を空間領域で変調する方式であるが、本発明はこれに限定されず、利用者携帯端末にて読み取り可能な従来公知のアルゴリズムにてエンコードする方式で構わない。ＭＰＥＧデータに電子透かしをエンコードする技術としては、例えば、特開２０００−２４４８８１号公報、特開２００２−１９１０３３号公報、特開２００２−１５２７４２号公報、特開２００４−８００９５号公報などに開示されている。
【００２２】
図３は、関連情報サイトアドレス管理テーブル（Ｔ）であり、本実施例では、図１に示すように、カラオケホスト装置（３）内に設けられている。この管理テーブル（Ｔ）は、関連情報が掲載されたモバイルＷｅｂサイトを有する背景映像につき、その背景映像が現に出力されている最中に、そのサイトアドレスを利用者携帯端末に提供するための制御データのテーブルであり、個々の背景映像を特定するための「背景映像ＩＤ」フィールド（ｆ１）と、提供するサイトアドレスを表示するための「表示サイトアドレス」フィールド（ｆ２）から主に構成されている。そして、このテーブル（Ｔ）に基づき、個々の背景映像データにサイトアドレスの内容が電子透かし形態でエンコードされる。
【００２３】
そして、利用者は、自らが所持する電子透かし読み取り機能およびブラウザ機能付き携帯電話（利用者携帯端末）をもって、現に出力されている背景映像を撮像すると、当該背景映像の関連情報が掲載された所定のモバイルＷｅｂサイトのサイトアドレスが提供される。図４は、所定の背景映像が現に出力されている最中に、当該背景映像を撮像した場合の、任意の利用者携帯端末（４）における関連情報サイトアドレスの表示画面（Ｄ）であり、この表示画面（Ｄ）には、書誌的事項の他、その関連情報が掲載された所定のモバイルＷｅｂサイトのサイトアドレス（ｄ１）がＵＲＬ表示され、提供されている。
【００２４】
以上、詳述したように、本発明のカラオケ背景映像関連情報提供システムによれば、背景映像が出力されている最中に、現に出力されている背景映像の関連情報が掲載された所定のモバイルＷｅｂサイトのサイトアドレスが電子透か形態で埋め込まれているため、関連情報が掲載された所定のモバイルＷｅｂサイトに容易かつ正確にアクセスでき、リアルタイムでさらに詳細な背景映像の関連情報を利用者に効率的に与えることができる。
【図面の簡単な説明】
【００２５】
【図１】本発明のカラオケ背景映像関連情報提供システムの概略的構成図。
【図２】背景映像の出力機構の概略的構成図。
【図３】関連情報サイトアドレスの管理テーブルの構成図。
【図４】関連情報サイトアドレスの表示画面。
【符号の説明】
【００２６】
１  カラオケ背景映像関連情報提供システム
２  カラオケ演奏装置
３  カラオケホスト装置
４  利用者携帯端末
５  ＷＷＷサーバ
１０  ハードディスク
１０ａ  背景映像データベース
１１  背景映像データベース制御部
Ｔ  関連情報サイトアドレス管理テーブル
Ｎｉ  インターネット
【図１】
2006071717.tif 000003
【図２】
2006071717.tif 000004
【図３】
2006071717.tif 000005
【図４】
2006071717.tif 000006